(57)【要約】【課題】短絡発生時に回路全体を確実に保護することが可能な電源回路を提供する。【解決手段】この電源回路１００は、トランス１と、トランス１からの電圧の出力を制御するＩＣ２と、トランス１の２次側の電圧が入力され、所定の電圧を出力するレギュレータ３と、ＩＣ２に電源を供給するための電源供給ラインＬに接続され、レギュレータ３の出力短絡時に電源供給ラインＬを介してＩＣ２に電源が供給されるのを停止させるツェナーダイオード６とを備える。【選択図】図１
2013207875.tif 000002
【特許請求の範囲】
【請求項１】
トランスと、
前記トランスの１次側に配置され、前記トランスからの電圧の出力を制御する電源制御部と、
前記トランスの２次側の電圧が入力され、所定の電圧を出力する電圧出力部と、
前記電源制御部に電源を供給するための電源供給ラインに接続され、前記電圧出力部の出力短絡時に前記電源供給ラインを介して前記電源制御部に電源が供給されるのを停止させる定電圧素子とを備える、電源回路。
【請求項２】
前記定電圧素子は、前記電圧出力部の出力短絡時に前記電源供給ラインを接地することにより、前記電源供給ラインを介して前記電源制御部に電源が供給されるのを停止させるように構成されている、請求項１に記載の電源回路。
【請求項３】
前記定電圧素子は、前記電圧出力部の出力短絡時に降伏することにより破壊されて接地されるツェナーダイオードを含む、請求項２に記載の電源回路。
【請求項４】
前記ツェナーダイオードの降伏電圧は、前記電源制御部が駆動するために必要な駆動電圧よりも大きい、請求項３に記載の電源回路。
【請求項５】
前記トランスの２次側の電圧に応じた帰還電流を前記電源制御部にフィードバック出力するフィードバック回路をさらに備え、
前記電源制御部は、前記フィードバック回路からフィードバック出力される前記帰還電流に基づいて、前記トランスの２次側の電圧の出力を制御するように構成されており、
前記電圧出力部の出力短絡時には、前記フィードバック回路により前記帰還電流が前記電源制御部にフィードバック出力されないことによって、前記電源制御部により前記トランスの２次側の電圧を大きくする制御が行われるとともに、前記トランスの１次側の前記電源供給ラインに供給される電圧が大きくなるように構成されており、
前記ツェナーダイオードは、前記電圧出力部の出力短絡時に前記電源供給ラインに供給される電圧が大きくなることに起因して降伏することにより破壊されて接地されるように構成されている、請求項３または４に記載の電源回路。
【請求項６】
前記トランスは、
１次側に配置され、外部電源に接続される第１巻線と、
２次側に配置され、前記第１巻線が励起されることに起因して励起される第２巻線と、
１次側に配置され、前記第１巻線および前記第２巻線が励起されることに起因して励起される第３巻線とを含み、
前記定電圧素子が接続された前記電源供給ラインは、前記第３巻線と前記電源制御部とを接続するように設けられている、請求項１〜５のいずれか１項に記載の電源回路。
【発明の詳細な説明】
【技術分野】
【０００１】
この発明は、電源回路に関し、特に、トランスからの電圧の出力を制御する電源制御部を備えた電源回路に関する。
【背景技術】
【０００２】
従来、トランスからの電圧の出力を制御する電源制御部を備えた電源回路が知られている（たとえば、特許文献１参照）。
【０００３】
上記特許文献１には、トランスと、トランスからの電圧の出力を制御する制御部（電源制御部）と、トランスの２次側の電圧に応じた帰還電流を制御部にフィードバック出力するフォトカプラを含む定電圧制御部（フィードバック回路）と、トランスの２次側の電圧を所定の電圧に調整して出力するレギュレータ（電圧出力部）とを備えるスイッチング電源装置（電源回路）が開示されている。このスイッチング電源装置の定電圧制御部は、上記フォトカプラに加えて、トランスの２次側の電圧が分圧されたものが参照電圧として入力されるシャントレギュレータを含む。なお、フォトカプラは、シャントレギュレータのカソード側に接続されている。また、シャントレギュレータの参照電圧が入力される端子は、抵抗およびダイオードを介してレギュレータの出力側に接続されている。そして、トランスの２次側の電圧が変動した場合には、その電圧の変動に対応した電流がシャントレギュレータおよびシャントレギュレータのカソード側に接続されるフォトカプラに流れる。これにより、フォトカプラから制御部に帰還電流が出力されて、トランスの２次側の電圧が所定の電圧になるように、制御部によってトランスの出力が制御される。
【０００４】
また、上記スイッチング電源装置では、制御部は、トランスの２次側に過電流が流れている状態（過電流状態）を解消して回路全体を保護するための過電流保護回路を含む。この過電流保護回路は、トランスの２次側が過電流状態となっていることを検知した際に、制御部の駆動を停止させる機能を有する。また、上記スイッチング電源装置では、トランスの２次側で、かつ、レギュレータの入力側に、トランスの２次側の電圧が過度に大きい過電圧状態となった際に降伏することにより破壊されて接地されるツェナーダイオードが設けられている。上記スイッチング電源装置において、短絡発生時（たとえばレギュレータの出力側が短絡した時）には、レギュレータの出力側の電圧が略ゼロになり、レギュレータの出力側に接続されているシャントレギュレータの参照電圧が大きく低下する。これにより、シャントレギュレータおよびフォトカプラに電流が流れなくなることによって、フォトカプラから制御部に帰還電流が出力されなくなるため、制御部は、トランスの２次側の電圧を大幅に増加させる制御を行う。その結果、トランスの２次側が過電圧状態となることにより上記ツェナーダイオードが破壊され、トランスの２次側に大電流（過電流）が流れる。そして、このとき、過電流保護回路が働いて制御部の駆動が停止されることにより、トランスの２次側の過電流状態が解消されて回路全体が保護される。
【先行技術文献】
【特許文献】
【０００５】
【特許文献１】特開２００９−１３０９４８号公報
【発明の概要】
【発明が解決しようとする課題】
【０００６】
ここで、上記特許文献１に開示されたような従来の電源回路の電源制御部として、駆動が停止されてから一定時間経過後に自動的に再起動する電源制御部が用いられる場合がある。この場合には、短絡発生時にトランスの２次側が過電流状態となることに起因して電源制御部の駆動が一旦停止されても、その停止された電源制御部が自動的に再起動されるというサイクルが繰り返されるため、トランスの２次側の過電流状態が定期的に繰り返されて回路全体に定期的に大きな負荷がかかると考えられる。このため、短絡発生時に回路全体を確実に保護することができない場合がある。
【０００７】
この発明は、上記のような課題を解決するためになされたものであり、この発明の１つの目的は、短絡発生時に回路全体を確実に保護することが可能な電源回路を提供することである。
【課題を解決するための手段】
【０００８】
上記目的を達成するために、この発明の一の局面による電源回路は、トランスと、トランスの１次側に配置され、トランスからの電圧の出力を制御する電源制御部と、トランスの２次側の電圧が入力され、所定の電圧を出力する電圧出力部と、電源制御部に電源を供給するための電源供給ラインに接続され、電圧出力部の出力短絡時に電源供給ラインを介して電源制御部に電源が供給されるのを停止させる定電圧素子とを備える。
【０００９】
この発明の一の局面による電源回路では、上記のように、電源制御部に電源を供給するための電源供給ラインに、電圧出力部の出力短絡時に電源供給ラインを介して電源制御部に電源が供給されるのを停止させる定電圧素子を接続する。これにより、定電圧素子によって、短絡発生時に電源供給ラインを介して電源制御部に電源が供給されなくなるので、たとえば電源制御部が一定時間毎に自動的に再起動するように構成されている場合でも、一旦駆動が停止された電源制御部が再起動することがない。その結果、短絡発生時に電源制御部を確実に停止させることができるので、電源回路全体を確実に保護することができる。
【００１０】
上記一の局面による電源回路において、好ましくは、定電圧素子は、電圧出力部の出力短絡時に電源供給ラインを接地することにより、電源供給ラインを介して電源制御部に電源が供給されるのを停止させるように構成されている。このように構成すれば、短絡発生時に電源供給ラインが定電圧素子を介して接地されるので、容易に、短絡発生時に電源制御部への電源の供給を遮断することができる。
【００１１】
この場合、好ましくは、定電圧素子は、電圧出力部の出力短絡時に降伏することにより破壊されて接地されるツェナーダイオードを含む。このように構成すれば、ツェナーダイオードによって、より容易に、短絡発生時に電源制御部への電源の供給を遮断することができる。
【００１２】
上記定電圧素子がツェナーダイオードを含む電源回路において、好ましくは、ツェナーダイオードの降伏電圧は、電源制御部が駆動するために必要な駆動電圧よりも大きい。このように構成すれば、電源制御部が通常の駆動動作を行っている際（通常時）にツェナーダイオードが降伏することがないので、短絡発生時（電圧出力部の出力短絡時）ではない通常時に電源制御部への電源の供給が遮断されるのを抑制することができる。
【００１３】
上記定電圧素子がツェナーダイオードを含む電源回路において、好ましくは、トランスの２次側の電圧に応じた帰還電流を電源制御部にフィードバック出力するフィードバック回路をさらに備え、電源制御部は、フィードバック回路からフィードバック出力される帰還電流に基づいて、トランスの２次側の電圧の出力を制御するように構成されており、電圧出力部の出力短絡時には、フィードバック回路により帰還電流が電源制御部にフィードバック出力されないことによって、電源制御部によりトランスの２次側の電圧を大きくする制御が行われるとともに、トランスの１次側の電源供給ラインに供給される電圧が大きくなるように構成されており、ツェナーダイオードは、電圧出力部の出力短絡時に電源供給ラインに供給される電圧が大きくなることに起因して降伏することにより破壊されて接地されるように構成されている。このように構成すれば、短絡発生時（電圧出力部の出力短絡時）には、トランスの２次側の電圧が大きくなるとともに、電源供給ラインに供給される電圧も大きくなるので、短絡発生時にツェナーダイオードを容易に降伏させて破壊することができる。その結果、短絡発生時に破壊されたツェナーダイオードを介して電源供給ラインを容易に接地することができるので、短絡発生時に電源制御部への電源の供給を容易に遮断することができる。
【００１４】
上記一の局面による電源回路において、好ましくは、トランスは、１次側に配置され、外部電源に接続される第１巻線と、２次側に配置され、第１巻線が励起されることに起因して励起される第２巻線と、１次側に配置され、第１巻線および第２巻線が励起されることに起因して励起される第３巻線とを含み、定電圧素子が接続された電源供給ラインは、第３巻線と電源制御部とを接続するように設けられている。このように構成すれば、電源制御部を駆動するための電源を別途設けることなく、トランスの３次巻線によって電源制御部を駆動することができるので、部品点数を削減することができる。
【発明の効果】
【００１５】
本発明によれば、上記のように、短絡発生時に回路全体を確実に保護することができる。
【図面の簡単な説明】
【００１６】
【図１】本発明の一実施形態による電源回路の回路図である。
【発明を実施するための形態】
【００１７】
以下、本発明の実施形態を図面に基づいて説明する。
【００１８】
図１を参照して、本発明の一実施形態による電源回路１００の構成について説明する。
【００１９】
図１に示すように、電源回路１００は、トランス１と、トランス１の１次側に配置されたＩＣ２と、トランス１の２次側に配置されたレギュレータ３と、フィードバック回路４とを備えている。なお、ＩＣ２は、本発明の「電源制御部」の一例である。また、レギュレータ３は、本発明の「電圧出力部」の一例である。
【００２０】
トランス１は、１次側に配置された１次巻線１ａおよび補助巻線１ｂと、２次側に配置された２次巻線１ｃとを含むように構成されている。なお、１次巻線１ａ、補助巻線１ｂおよび２次巻線１ｃは、それぞれ、本発明の「第１巻線」、「第３巻線」および「第２巻線」の一例である。
【００２１】
１次巻線１ａの一方端は、図示しないダイオードブリッジなどの整流回路を介して外部電源（交流電源）１０に接続されている。また、２次巻線１ｃは、１次巻線１ａが励起されることによって励起されるように構成されている。また、補助巻線１ｂは、１次巻線１ａおよび２次巻線１ｃが励起されることによって励起されるように構成されている。なお、１次巻線１ａの巻方向と補助巻線１ｂの巻方向とは、反対である。また、補助巻線１ｂの巻方向と２次巻線１ｃの巻方向とは、同じである。
【００２２】
また、ＩＣ２とトランス１の１次巻線１ａとの間には、ＦＥＴ（電界効果型トランジスタ）５が設けられている。ＩＣ２の端子２ａは、抵抗Ｒ１を介してＦＥＴ５のゲートＧに接続されている。また、ＦＥＴ５のドレインＤは、トランス１の１次巻線１ａの他方端に接続されている。また、ＦＥＴ５のソースＳは、センシングのための抵抗Ｒ２を介して接地されている。そして、ＩＣ２の発振によりＦＥＴ５がオンオフすることによって、トランス１の１次側（１次巻線１ａ）の電圧が変圧されて２次側（２次巻線１ｃ）に伝達されるように構成されている。
【００２３】
レギュレータ３は、トランス１の２次巻線１ｃから出力されてレギュレータ３に入力される電圧（Ｖ１）を所定の電圧（Ｖ２）に変換して負荷２０側に出力するように構成されている。また、フィードバック回路４は、トランス１の２次側の電圧（トランス１の２次巻線１ｃから出力される電圧）に応じた帰還電流をトランス１の１次側のＩＣ２にフィードバック出力するように構成されている。
【００２４】
ここで、本実施形態では、ＩＣ２は、トランス１の２次側の電圧の出力を制御する機能を有するように構成されている。具体的には、ＩＣ２は、フィードバック回路４の後述するフォトカプラ４２からフィードバック出力される帰還電流に基づいて発振の周期を調整することにより、トランス１の２次側の電圧を調整する動作（詳細は、後述する）を行うように構成されている。また、ＩＣ２は、上記のような動作を、トランス１の補助巻線１ｂから供給される電力（電源）に基づいて行うように構成されている。すなわち、ＩＣ２と補助巻線１ｂとの間には、ＩＣ２に電源を供給するための電源供給ラインＬが設けられている。電源供給ラインＬは、ＩＣ２の端子２ｂと、トランス１の補助巻線１ｂの接地されていない一方端とを接続するように設けられている。なお、ＩＣ２の端子２ｃは、抵抗Ｒ２を介して接地されている。また、ＩＣ２の端子２ｄは、接地されている。
【００２５】
電源供給ラインＬには、トランス１の補助巻線１ｂから供給される電力を整流するダイオードＤ１と、ダイオードＤ１によって整流された電力を平滑化する電界コンデンサＣ１と、レギュレータ３の出力短絡時（レギュレータ３の出力側（負荷２０が接続される側）が短絡した時）に破壊されて電源供給ラインＬを介してＩＣ２に電源が供給されるのを停止させるツェナーダイオード６とが接続されている。ダイオードＤ１のアノード側は、電源供給ラインＬを介してトランス１の補助巻線１ｂの一方端に接続されているとともに、ダイオードＤ１のカソード側は、電源供給ラインＬを介してＩＣ２の端子２ｄに接続されている。また、電解コンデンサＣ１の一方電極側は、電源供給ラインＬを介してダイオードＤ１のカソード側に接続されているとともに、電界コンデンサＣ１の他方電極側は、接地されている。また、ツェナーダイオード６のカソード側は、電源供給ラインＬを介して電界コンデンサＣ１の一方電極側に接続されているとともに、ツェナーダイオード６のアノード側は、接地されている。なお、ツェナーダイオード６は、本発明の「定電圧素子」の一例である。
【００２６】
ここで、ツェナーダイオード６は、レギュレータ３の出力短絡時に降伏して破壊されることにより、電源供給ラインＬを接地するように構成されている。具体的には、まず、レギュレータ３の出力短絡時には、後述するように、フィードバック回路４からＩＣ２に帰還電流が出力されなくなるため、ＩＣ２によって、トランス１の２次側の電圧（２次巻線１ｃから出力される電圧）を大きくする制御が行われる。ここで、トランス１の補助巻線１ｂは、１次巻線１ａおよび２次巻線１ｃが励起されることによって励起されるので、上記のようにＩＣ２により２次巻線１ｃから出力される電圧を大きくする制御が行われると、補助巻線１ｂから出力される電圧も大きくなる。これにより、トランス１の補助巻線１ｂから電源供給ラインＬに供給される電圧が大きくなるとともに、電源供給ラインＬを介してツェナーダイオード６に印加される電圧が大きくなる。そして、ツェナーダイオード６に印加される電圧がツェナーダイオード６の降伏電圧（ツェナー電圧）よりも大きくなった際に、ツェナーダイオード６が降伏して破壊され、破壊されたツェナーダイオード６を介して電源供給ラインＬが接地される。なお、本実施形態では、ツェナーダイオード６の降伏電圧（ツェナー電圧）は、レギュレータ３が駆動するために必要な駆動電圧よりも大きく設定されている。
【００２７】
なお、トランス１の２次巻線１ｃとレギュレータ３との間には、２次巻線１ｃから出力される電力を整流するダイオードＤ２と、ダイオードＤ２によって整流された電力を平滑化する電解コンデンサＣ２とが設けられている。ダイオードＤ２のアノード側は、トランス１の２次巻線１ｃの接地されていない一方端に接続されているとともに、ダイオードＤ２のカソード側は、レギュレータ３の入力側に接続されている。また、電解コンデンサＣ２の一方電極側は、ダイオードＤ２のカソード側に接続されているとともに、電解コンデンサＣ２の他方電極側は、接地されている。
【００２８】
また、フィードバック回路４は、トランス１の２次側にカソード側が接続されるシャントレギュレータ４１と、シャントレギュレータ４１に接続され、トランス１の２次側の電圧に応じた帰還電流をＩＣ２に出力するフォトカプラ４２とを含む。シャントレギュレータ４１のカソード側は、抵抗Ｒ３およびＲ４を介してレギュレータ３の入力側に接続されている。また、シャントレギュレータ４１のカソード側は、フォトカプラ４２の端子４２ａに接続されている。また、シャントレギュレータ４１のカソード側と、シャントレギュレータ４１の参照電圧Ｖｒｅｆが入力される端子との間には、レギュレータ３から出力される電圧が共振するのを抑制する機能（位相補償機能）を有する抵抗Ｒ５およびコンデンサＣ３が設けられている。
【００２９】
また、シャントレギュレータ４１の参照電圧Ｖｒｅｆが入力される端子は、抵抗Ｒ６およびＲ７を介してレギュレータ３の入力側に接続されている。また、抵抗Ｒ７には、接地された抵抗Ｒ８が接続されている。すなわち、抵抗Ｒ６、Ｒ７およびＲ８は、直列に接続されているとともに、シャントレギュレータ４１の参照電圧Ｖｒｅｆが入力される端子は、抵抗Ｒ７とＲ８との間に接続されている。これにより、シャントレギュレータ４１の参照電圧Ｖｒｅｆが入力される端子には、抵抗Ｒ６、Ｒ７およびＲ８により調整されるトランス１の２次側の電圧（２次巻線１ｃから出力されてレギュレータ３の入力側に供給される電圧Ｖ１）の分圧が入力される。
【００３０】
フォトカプラ４２の端子４２ｂは、抵抗Ｒ３を介してレギュレータ３の入力側に接続されている。この抵抗Ｒ３は、フォトカプラ４２およびシャントレギュレータ４１に流れる電流を調整する機能を有する。また、フォトカプラ４２の端子４２ａは、シャントレギュレータ４１のカソード側およびアノード側を介して接地されている。これにより、トランス１の２次側の電流（２次巻線１ｃから出力されてレギュレータ３の入力側に流れる電流）は、抵抗Ｒ３、フォトカプラ４２の端子４２ｂ、４２ａ、および、シャントレギュレータ４１を経由してグランドに流れるように構成されている。そして、このようにフォトカプラ４２の端子４２ｂおよび４２ａを経由して電流が流れる場合に、フォトカプラ４２の端子４２ｃからＩＣ２に帰還電流が出力されるように構成されている。なお、フォトカプラ４２の端子４２ａと端子４２ｂとは、抵抗Ｒ４を介して接続されている。この抵抗Ｒ４は、フォトカプラ４２に暗電流（フォトカプラ４２を誤動作させる微弱な電流）が流れるのを抑制する機能を有する。また、フォトカプラ４２の端子４２ｃは、ＩＣ２の端子２ｅに接続されている。また、フォトカプラ４２の端子４２ｄは、接地されている。
【００３１】
また、シャントレギュレータ４１の参照電圧Ｖｒｅｆが入力される端子は、抵抗Ｒ９およびダイオードＤ３を介してレギュレータ３の出力側に接続されている。具体的には、シャントレギュレータ４１の参照電圧Ｖｒｅｆが入力される端子は、抵抗Ｒ９を介してダイオードＤ３のアノード側に接続されている。そして、ダイオードＤ３のカソード側は、レギュレータ３の出力側に接続されている。ここで、レギュレータ３の出力短絡時には、レギュレータ３の出力側の電位が略ゼロになる。このため、レギュレータ３の出力短絡時には、トランス１の２次側の電流（２次巻線１ｃから出力されてレギュレータ３の入力側に流れる電流）は、フォトカプラ４２を経由せずに、抵抗Ｒ６、Ｒ７、Ｒ９およびダイオードＤ３を経由してレギュレータ３の出力側に流れる。これにより、本実施形態では、レギュレータ３の出力短絡時には、フォトカプラ４２は、ＩＣ２に帰還電流をフィードバック出力しないように構成されている。
【００３２】
次に、図１を参照して、本発明の一実施形態による電源回路１００の通常時および短絡発生時における動作について説明する。
【００３３】
（通常時）
たとえば、トランス１の２次側の電圧（Ｖ１）が降下したとする。このとき、トランス１の２次側の電圧の分圧が入力されるシャントレギュレータ４１の参照電圧Ｖｒｅｆも低下する。これにより、シャントレギュレータ４１のカソード側からアノード側に流れる電流（フォトカプラ４２に流れる電流）が減少するとともに、帰還電流（フォトカプラ４２の端子４２ｃからＩＣ２に出力される電流）が減少する。そして、ＩＣ２は、帰還電流が減少したことに基づいて、トランス１の２次側の電圧が降下したと判断し、トランス１の２次側の電圧を大きくするように、発振の周期を小さくする動作を行う。その結果、トランス１の２次側の電圧（Ｖ１）が上昇して、トランス１の２次側の電圧（Ｖ１）が所定の電圧に保持される。
【００３４】
また、トランス１の２次側の電圧（Ｖ１）が上昇した場合には、シャントレギュレータ４１の参照電圧Ｖｒｅｆが上昇し、帰還電流が増加する。そして、ＩＣ２は、帰還電流が増加したことに基づいて、トランス１の２次側の電圧が上昇したと判断し、トランス１の２次側の電圧を小さくするように、発振の周期を大きくする動作を行う。その結果、トランス１の２次側の電圧（Ｖ１）が降下して、トランス１の２次側の電圧（Ｖ１）が所定の電圧に保持される。
【００３５】
（短絡発生時）
短絡発生時（レギュレータ３の出力短絡時）には、レギュレータ３の出力側の電位が略ゼロになるので、トランス１の２次側の電流（２次巻線１ｃから出力されてレギュレータ３の入力側に流れる電流）は、フォトカプラ４２を経由せずに、抵抗Ｒ６、Ｒ７、Ｒ９およびダイオードＤ３を経由してレギュレータ３の出力側に流れる。これにより、フォトカプラ４２からＩＣ２に帰還電流が出力されなくなる。そして、ＩＣ２は、フォトカプラ４２から帰還電流が出力されなくなったことに基づいて、トランス１の２次側の電圧が降下したと判断し、トランス１の２次側の電圧を大きくするように、発振の周期を小さくする動作を行う。
【００３６】
ここで、短絡発生時においては、フォトカプラ４２からＩＣ２に帰還電流が出力されない状態が続くので、ＩＣ２は、トランス１の２次側の電圧（２次巻線１ｃから出力されてレギュレータ３の入力側に供給される電圧Ｖ１）を大きくする動作（発振の周期を小さくする動作）をし続ける。この場合には、トランス１の２次側の電圧（Ｖ１）が上昇し続けるので、トランス１の２次側の電圧（Ｖ１）が過度に大きい状態（過電圧状態）となるとともに、トランス１の１次側の補助巻線１ｂから出力される電圧も大きくなる。その結果、トランス１の補助巻線１ｂから出力されて電源供給ラインＬを介してツェナーダイオード６に印加される電圧がツェナーダイオード６の降伏電圧（ツェナー電圧）よりも大きくなり、ツェナーダイオード６が降伏して破壊される。これにより、破壊されたツェナーダイオード６を介して電源供給ラインＬが接地されるので、電源供給ラインＬを介してＩＣ２に電力（電源）が供給されなくなる。その結果、ＩＣ２の駆動が停止され、トランス１の２次側の過電圧状態が解消される。
【００３７】
本実施形態では、上記のように、ＩＣ２に電源を供給するための電源供給ラインＬに、レギュレータ３の出力短絡時（短絡発生時）に破壊されて電源供給ラインＬを介してＩＣ２に電源が供給されるのを停止させるツェナーダイオード６を接続する。これにより、短絡発生時にツェナーダイオード６が破壊されることによって、電源供給ラインＬを介してＩＣ２に電源が供給されなくなるので、たとえばＩＣ２が一定時間毎に自動的に再起動するように構成されている場合でも、一旦駆動が停止されたＩＣ２が再起動することがない。その結果、短絡発生時にＩＣ２を確実に停止させることができるので、電源回路１００全体を確実に保護することができる。
【００３８】
また、本実施形態では、上記のように、ツェナーダイオード６を、レギュレータ３の出力短絡時（短絡発生時）に破壊されて電源供給ラインＬを接地することにより、電源供給ラインＬを介してＩＣ２に電源が供給されるのを停止させるように構成する。これにより、短絡発生時に電源供給ラインＬがツェナーダイオード６を介して接地されるので、容易に、短絡発生時にＩＣ２への電源の供給を遮断することができる。
【００３９】
また、本実施形態では、上記のように、ツェナーダイオード６の降伏電圧（ツェナー電圧）を、ＩＣ２が駆動するために必要な駆動電圧よりも大きく設定する。これにより、ＩＣ２が通常の駆動動作を行っている際（通常時）にツェナーダイオード６が降伏することがないので、短絡発生時（レギュレータ３の出力短絡時）ではない通常時にＩＣ２への電源の供給が遮断されるのを抑制することができる。
【００４０】
また、本実施形態では、上記のように、レギュレータ３の出力短絡時（短絡発生時）には、フィードバック回路４により帰還電流がＩＣ２にフィードバック出力されないことによって、ＩＣ２によりトランス１の２次側の電圧（２次巻線１ｃから出力される電圧）を大きくする制御が行われるとともに、トランス１の１次側の電源供給ラインＬに供給される電圧（補助巻線１ｂから出力される電圧）が大きくなるように電源回路１００を構成する。そして、ツェナーダイオード６を、短絡発生時に電源供給ラインＬに供給される電圧が大きくなることに起因して降伏することにより破壊されて接地されるように構成する。このように構成すれば、短絡発生時には、トランス１の２次側の電圧が大きくなるとともに、電源供給ラインＬに供給される電圧も大きくなるので、短絡発生時にツェナーダイオード６を容易に降伏させて破壊することができる。その結果、短絡発生時に破壊されたツェナーダイオード６を介して電源供給ラインＬを容易に接地することができるので、短絡発生時にＩＣ２への電源の供給を容易に遮断することができる。
【００４１】
また、本実施形態では、上記のように、１次側に配置され、外部電源１０に接続される１次巻線１ａと、２次側に配置され、１次巻線１ａが励起されることに起因して励起される２次巻線１ｃと、１次側に配置され、１次巻線１ａおよび２次巻線１ｃが励起されることに起因して励起される補助巻線１ｂとを含むようにトランス１を構成する。そして、ツェナーダイオード６が接続された電源供給ラインＬを、補助巻線１ｂとＩＣ２とを接続するように設ける。これにより、ＩＣ２を駆動するための電源を別途設けることなく、トランス１の３次巻線によってＩＣ２を駆動することができるので、部品点数を削減することができる。
【００４２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４３】
たとえば、上記実施形態では、本発明の定電圧素子として、ツェナーダイオードを用いる例を示したが、本発明はこれに限らない。本発明では、ツェナーダイオード以外の定電圧素子（たとえば、アバランシェダイオード）を用いてもよい。
【００４４】
また、上記実施形態では、フィードバック回路として、シャントレギュレータおよびフォトカプラを用いる例を示したが、本発明はこれに限らない。本発明では、フィードバック回路として、シャントレギュレータおよびフォトカプラ以外の素子や回路を用いてもよい。
【００４５】
また、上記実施形態では、トランスの補助巻線（第３巻線）をＩＣ（電源制御部）の電源として用いる例を示したが、本発明はこれに限らない。本発明では、ＩＣを駆動するための専用の電源（トランスの２次側の電圧に応じて出力が変動する電源）を別途設けてもよい。
【符号の説明】
【００４６】
１  トランス
１ａ  １次巻線（第１巻線）
１ｂ  補助巻線（第３巻線）
１ｃ  ２次巻線（第２巻線）
２  ＩＣ（電源制御部）
３  レギュレータ（電圧出力部）
４  フィードバック回路
６  ツェナーダイオード（定電圧素子）
１０  外部電源
１００  電源回路
Ｌ  電源供給ライン
【図１】
2013207875.tif 000003